(57)【要約】  【課題】耐久性及び実用性に優れた袋体を提供する。  【解決手段】開口部２１に設けられ、且つ相互に接離し得る剛性の高い素材から形成した一対の芯材３と、各芯材３の所定部位を使用者が把持し得るように開口部２１近傍に形成した切欠部２３と、芯材３のうち切欠部２３から露出する部位に設けられ、且つ引っ掛け対象物Ｈに引っ掛け可能な引っ掛け部３１とを備えた袋体１とした。【選択図】図１
0003120366.tif 000002
【実用新案登録請求の範囲】
【請求項１】
内部に収容空間を有する袋本体の開口部を開いた開放状態と、開口部を閉じた閉止状態とをとり得る袋体であって、
前記開口部に設けられ、且つ前記開放状態で相互に離間するとともに前記閉止状態において相互に当接又は近接し得る剛性の高い素材から形成した一対の芯材と、
前記各芯材の所定部位を使用者が把持し得るように前記開口部近傍に形成した切欠部と、
前記芯材のうち前記切欠部から露出する部位に設けられ、且つフック等の引っ掛け対象物に引っ掛け可能な引っ掛け部とを具備していることを特徴とする袋体。
【請求項２】
前記引っ掛け部が、芯材の一部を屈曲又は湾曲させたものである請求項１記載の袋体。
【請求項３】
前記芯材が金属素材からなる略棒状のものである請求項１又は２記載の袋体。
【請求項４】
前記袋本体の内面部に、レシートや伝票等のシート類を収納し得る収納部を設けている請求項１、２又は３記載の袋体。
【考案の詳細な説明】
【技術分野】
【０００１】
本考案は、開口部を開いた開放状態と、開口部を閉じた閉止状態とをとり得る袋体に関するものである。
【背景技術】
【０００２】
従来より、使用状況等に応じて開放状態又は閉止状態をとり得る袋体として、例えば袋本体の開口部に形成した紐通し部に紐を挿入し、この紐の縛り具合を調節する（引っ張る又は緩める）ことにより開放状態又は閉止状態とすることが可能なものが考えられている。
【考案の開示】
【考案が解決しようとする課題】
【０００３】
しかしながら、従来のものは、開口部の紐通し部に単に紐を通しただけであるため、開放状態と閉止状態とを繰り返して使用する頻度が増加するに伴って紐又は紐通し部が磨耗して劣化し、何れか一方または何れもが千切れる又は破れるという不具合が生じる。加えて、閉止状態のまま紐を利用してフック等の引っ掛け対象物に引っ掛けることも可能であるものの、良好な引っ掛け状態を維持できるか否かが紐の強度に左右され易く、また、開放状態のまま引っ掛け対象物に引っ掛けることができず、実用性に欠けるという問題も発生する。さらに、所定の容器内に開放状態を維持した状態でセットする場合には、開口部を容器の上縁部に巻き付ける必要があり、簡単にセッティングすることができないという不具合もある。また、紐を持ったまま閉止状態で移動させる（持ち運ぶ）場合、紐又は紐通し部に過度の負担が掛かるため、開口部近傍を把持して移動させることもあるが、この場合、開口部に専用の把持部が存在しないため今ひとつ不便であるという不具合もあった。
【０００４】
本考案は、このような課題に着目してなされたものであって、主たる目的は、耐久性、実用性及び持ち運び性に優れた袋体を提供することにある。
【課題を解決するための手段】
【０００５】
すなわち、本考案の袋体は、内部に収容空間を有する袋本体の開口部を開いた開放状態と、開口部を閉じた閉止状態とをとり得る袋体であって、前記開口部に設けられ、且つ前記開放状態で相互に離間するとともに前記閉止状態において相互に当接又は近接し得る剛性の高い素材から形成した一対の芯材と、前記各芯材の所定部位を使用者が把持し得るように前記開口部近傍に形成した切欠部と、前記芯材のうち前記切欠部から露出する部位に設けられ、且つフック等の引っ掛け対象物に引っ掛け可能な引っ掛け部とを具備していることを特徴とする。
【０００６】
このようなものであれば、剛性の高い素材から形成した一対の芯材を相互に近付ける又は離間させることにより開放状態と閉止状態とを取り得るようにしているため、紐を用いた従来のものと比較して磨耗して劣化するおそれを可及的に低減することができ、耐久性に優れたものとなる。しかも、芯材の引っ掛け部を引っ掛け対象物に引っ掛けるようにしているため、開放状態又は閉止状態の何れの状態であっても良好な引っ掛け状態を維持することができ、実用性に富むものとなる。殊に、芯材のうち、切欠部から露出している部位を所定の支持部に支持させることにより、開放状態を維持した状態で簡単にセッティングすることができる。加えて、開放状態又は閉止状態に関係なく、切欠部を介して芯材を把持することにより、移動させる（持ち運ぶ）作業を簡単且つスムーズに行うことができる。
【０００７】
特に、前記引っ掛け部が、芯材の一部を屈曲又は湾曲させたものであれば、簡単に引っ掛け部を形成することができる。
【０００８】
好適な実施態様としては、前記芯材が金属素材からなる略棒状のものである態様が挙げられる。
【０００９】
また、前記袋本体の内面部に、レシートや伝票等のシート類を収納し得る収納部を設けていれば、シート類の紛失を防止するとともに、当該シート類と袋体とを関連付けて好適に管理することができる。
【考案の効果】
【００１０】
以上説明したように本考案によれば、従来のものと比較して耐久性に優れ、しかも、実用性に富み、持ち運び作業を簡単且つスムーズに行うことができる。
【考案を実施するための最良の形態】
【００１１】
以下、本考案の一実施形態を、図面を参照して説明する。
【００１２】
本実施形態に係る袋体１は、図１及び図２等に示すように、内部に収容空間２Ｓを有する袋本体２の開口部２１を開いた開放状態（Ｏ）と、開口部２１を閉じた閉止状態（Ｃ）との間で状態変更可能なものである。
【００１３】
袋本体２は、例えば上端部に開口部２１を有し且つ開放状態（Ｏ）にある場合に概略箱状をなす布製のものである。この袋本体２の対向する面（図示例では一対の側面部２Ａ）の上端部に、それぞれ巾方向に沿って筒状部２２を形成し、各筒状部２２に芯材３を挿入して保持させている。本実施形態では、側面部２Ａの上端部を内方に折り返して縫合することにより筒状部２２を形成している。なお、面ファスナーを利用して筒状部２２を形成してもよい。この場合、面ファスナの係合状態を解除することにより芯材３を筒状部２２から取り外せることができ、芯材３の交換を簡単に行うことができる。
【００１４】
また、各芯材３の所定部位を露出させ、当該露出した部位を使用者が把持し得るように袋体１の開口部２１近傍に切欠部２３を形成している。本実施形態では、切欠部２３として、側面部２Ａの上端部における中央部位を略部分楕円形状に切り欠いた態様を採用している。
【００１５】
さらに、何れか一方の側面部２Ａに、レシートや伝票等のシート類Ｓを収納し得る収納部２４を設けている。この収納部２４の全部位又は一部を、収納したシート類Ｓを視認できるように透明又は半透明の素材から形成している。袋本体２の正面部２Ｂ及び背面部２Ｃは、巾方向中央部にその高さ方向に沿って、袋本体２を閉止状態（Ｃ）にした場合に谷折り又は山折り可能な折り目２５を設けている。これら一対の側面部２Ａ、正面部２Ｂ、背面部２Ｃ及び底面部を相互に分離不能に縫合している。
【００１６】
芯材３は、例えば金属素材からなる略棒状状のもの（図示例ではワイヤ）であり、その長手寸法を、側面部２Ａの巾寸法よりも若干小さく設定している。この芯材３のうち、袋本体２の切欠部２３から露出し得る部位（本実施形態では長手方向略中央部位）に、フック等の引っ掛け対象物Ｈに引っ掛け可能な引っ掛け部３１を設けている。本実施形態では、引っ掛け部３１として、芯材３の長手方向中央部を略山型又は略谷型に屈曲させたものを採用している。
【００１７】
このような構成を有する袋体１は、前記一対の芯材３同士を当接又は近接させて前記開口部２１を閉止し得る閉止状態（Ｃ）と、芯材３同士を離間させた開放状態（Ｏ）との間で姿勢変更し得るものである。
【００１８】
次に、この袋体１を例えばクリーニング店舗内において使用する一使用例を図３及び図４（図３は、開放状態（Ｏ）にある２つの袋体１を受付台Ｃにセッティングした状態の平面を模式的に示す図であり、図４は閉止状態（Ｃ）にある複数の袋体１を収容した状態の正面を模式的に示す図である）等を参照して説明する。
【００１９】
まず、受付台Ｃに設けた袋体収容部ＣＳに、袋体１を開放状態（Ｏ）でセットする（図３参照）。この際、袋体収容部ＣＳを区画する一対の側壁部Ｃ１から相互に相寄る方向に突出させた断面視略Ｌ字状の支持部Ｃ１１に、芯材３のうち袋本体２の切欠部２３から露出している部位を引っ掛けるようにして支持させることにより開放状態（Ｏ）が維持される。そして、顧客から預かった衣服等を収容空間２Ｓに入れるとともに、伝票等のシート類Ｓを収納部２４に入れる。その結果、顧客毎又は衣類の種類毎にまとめた各袋体１とシート類とを確実に関連付けて管理することができる。その後、芯材３のうち切欠部２３から露出している部位を把持して袋体１を袋体収容部ＣＳから取り出して閉止状態（Ｃ）とし、芯材３に設けた引っ掛け部３１を引っ掛け対象物Ｈ（図示例ではフック）に引っ掛ける（図４参照）。本実施形態では、この引っ掛け対象物Ｈをレール部Ｒにスライド移動可能に設けている。このようにして複数の引っ掛け対象物Ｈに、それぞれ閉止状態（Ｃ）にある袋体１の引っ掛け部３１を引っ掛けることにより袋体１が不要に嵩張ることを回避することができる。
【００２０】
このように、本実施形態に係る袋体１は、剛性の高い素材から形成した一対の芯材３を相互に近付ける又は離間させることにより開放状態（Ｏ）と閉止状態（Ｃ）とを取り得るようにしているため、紐を用いた従来のものと比較して磨耗・損傷するおそれを可及的に低減し、耐久性に優れたものとなる。しかも、芯材３の引っ掛け部３１を引っ掛け対象物Ｈに引っ掛けるようにしているため、安定した良好な引っ掛け状態を維持することができ、実用性に富むものとなる。殊に、芯材３のうち、切欠部２３から露出している部位を所定の支持部Ｃ１１に支持させることにより、開放状態（Ｏ）を維持した状態で簡単にセッティングすることができる。加えて、移動させる際には、開放状態（Ｏ）又は閉止状態（Ｃ）に関係なく、切欠部２３を介して芯材３を直接把持することにより簡単且つスムーズに行うことができる。
【００２１】
特に、引っ掛け部３１が、芯材３の一部を屈曲させたものであるため、高度な加工技術を要することなく、極めて簡単に引っ掛け部３１を形成することができるとともに、引っ掛け部３１を、芯材３に別途に取り付ける又は組み付ける態様と比較して部品点数の削減を図ることができる。
【００２２】
また、芯材３が金属素材からなる略棒状のものであるため、市販のものを採用することができ、専用の芯材３を製造する労力を有効に省くことができる。
【００２３】
さらに、袋本体２の内面部に、レシートや伝票等のシート類Ｓを収納し得る収納部２４を設けているため、シート類Ｓの紛失を防止することができる。
【００２４】
なお、本考案は、以上に詳述した実施形態に限られるものではない。
【００２５】
例えば、芯材は剛性の高い素材から形成したものであればよく、金属素材以外のものであっても構わない。
【００２６】
また、切欠部の形状は例示したものに限らず、種々の形状を採用しても勿論構わない。また、切欠部の個数も適宜増減して構わない。
【００２７】
また、引っ掛け部が、芯材の一部を湾曲させたものであってもよく、或いは、芯材に別個の引っ掛け部を設ける態様しても構わない。さらに、引っ掛け対象物の形状に対応させて、当該引っ掛け対象物に引っ掛け可能なものであればどのような形状であってもよく、数も適宜増減すればよい。
【００２８】
その他、各部の具体的構成についても上記実施形態に限られるものではなく、本考案の趣旨を逸脱しない範囲で種々変形が可能である。
【図面の簡単な説明】
【００２９】
【図１】本考案の一実施形態に係る袋体の開放状態を示す全体図。
【図２】同実施形態に係る袋体の閉止状態を示す全体図。
【図３】同実施形態に係る袋体の一使用態様を示す図。
【図４】同実施形態に係る袋体の一使用態様を示す図。
【符号の説明】
【００３０】
１…袋体
２…袋本体
２１…開口部
２３…切欠部
２４…収納部
２Ｓ…収容空間
３…芯材
３１…引っ掛け部
Ｈ…引っ掛け対象物
Ｓ…シート類
（Ｏ）…開放状態
（Ｃ）…閉止状態
【図１】
0003120366.tif 000003
【図２】
0003120366.tif 000004
【図３】
0003120366.tif 000005
【図４】
0003120366.tif 000006